(57)【要約】【課題】インデックス（タブ）付きシートの複製を通常の記録用紙を用いて容易に作成できるようにする。【解決手段】文字や画像などを記録用紙に記録する画像形成装置において、インデックス付き記録が指示されたときに、記録すべき用紙サイズ（例えばＡ４）の２倍のサイズの記録用紙Ｐを用いて、カットラインＣＬを含むインデックス用の記録を行うことで、定型（例えばＡ３）の記録用紙Ｐにインデックス部Ｉｎを記録したインデックス付きシートを得る。そして、このように記録用紙ＰにカットラインＣＬを記録することで、そのカットラインに沿って記録用紙Ｐをカットすることにより、インデックス付きシート（複製物）を通常の記録用紙を用いて容易に作成することができる。【選択図】図４
2006086625.tif 000002
【特許請求の範囲】
【請求項１】
文字、画像等を記録用紙に記録する画像形成装置において、
インデックス付き記録が指示されたときに、記録すべき用紙サイズの２倍のサイズの記録用紙を用いてインデックス用の記録を行うインデックス用記録手段を備えていることを特徴とする画像形成装置。
【請求項２】
前記記録用紙へのインデックス用の記録は、少なくともカットラインを含む記録であることを特徴とする請求項１記載の画像形成装置。
【請求項３】
前記記録用紙へのインデックス用の記録は、文字、画像を含む記録であることを特徴とする請求項２記載の画像形成装置。
【請求項４】
前記記録用紙へのインデックス用の記録は、インデックス付きシートの２枚分が同時に記録されることを特徴とする請求項１〜３のいずれかに記載の画像形成装置。
【請求項５】
前記記録用紙へのインデックス用の記録において、インデックス付きシートの２枚分の記録情報が同時に記録される場合、インデックス部の記録位置が、互いに異なる位置のインデックス付き記録用紙となるように記録されることを特徴とする請求項４記載の画像形成装置。
【請求項６】
前記記録用紙へのインデックス用の記録は、前記２倍サイズの記録用紙の中央にインデックス部が位置するように記録されることを特徴とする請求項１〜５のいずれかに記載の画像形成装置。
【請求項７】
前記記録用紙へのインデックス用の記録は、前記カットラインを形成する折れ曲がりラインの折れ曲がり部の角度が９０度以上となるように記録されることを特徴とする請求項２記載の画像形成装置。
【発明の詳細な説明】
【技術分野】
【０００１】
本発明は、原稿に記録された画像を読取り、記録用紙に対して画像の形成を行う画像形成装置に関する。
【背景技術】
【０００２】
ファイルに保存されている書類束は、必要とする書類束を容易に取出すことができるようにインデックス（タブ）付きシートを書類束の間に挿入して区分けを行っている場合が多い。このようなインデックス付きシートの複製を画像形成装置にて作成する場合、元のインデックス付きシートと同じ形状のインデックス付き記録用紙を用いて画像形成を行うという方法が採られている（例えば、特許文献１参照。）。
【０００３】
ところが、元のインデックス付きシートは、シートの端部が部分的に突き出しているだけでなく、その突出部分が異なっているため、インデックス付き記録用紙を用いて画像形成を行う場合には、元のインデックス付きシートと全く同じもの、つまりインデックス（タブ部分）の大きさや位置が全く同じものを用いる必要がある。
【０００４】
また、画像形成装置の画像形成部にインデックス付き記録用紙を搬送する場合には、記録用紙セットする方向を間違えないようにセットしないと、記録用紙が正常に搬送されずに印字される画像が傾いたり印字できなくなる場合がある。また、最悪の場合、搬送ジャムが発生することもある。そのため、インデックス付き記録用紙に印字を行う場合、インデックスが付いているエッジを搬送方向上流側つまり後ろ側になるように給紙トレイなどにセットする必要がある。
【特許文献１】特開平９−２５８６１５号公報
【発明の開示】
【発明が解決しようとする課題】
【０００５】
以上述べたように、インデックス付き記録用紙を用いて複製物の作成（画像形成）を行うには、制約が非常に大きく、しかも、元のインデックス付きシートと全く同じ形状のインデックス付き記録用紙を使用しなければ、インデックス付きシートの複製を作成することができないという問題がある。
【０００６】
本発明は、そのような問題を解消すべくなされたもので、インデックス（タブ）付きシートの複製を通常の記録用紙を用いて容易に作成することが可能な画像形成装置を提供することを目的とする。
【課題を解決するための手段】
【０００７】
本発明は、文字、画像等を記録用紙に記録する画像形成装置において、インデックス付き記録が指示されたときに、記録すべき用紙サイズの２倍のサイズの記録用紙を用いてインデックス用の記録を行うインデックス用記録手段を備えていることを特徴としている。
【０００８】
本発明によれば、インデックス（タブ）付きの専用の記録用紙を使用することなく、通常の記録用紙を用いて、インデックス付きシート（複製物）を容易に作成することができる。例えば、記録すべき用紙サイズがＡ４である場合、その２倍のサイズのＡ３の記録用紙を用いてインデックス付きシート（複製物）を作成することができる。
【０００９】
本発明において、記録用紙へのインデックス用の記録は、少なくともカットラインを含む記録とする。このように、記録用紙にカットラインを印字することで、そのカットラインに沿って記録用紙をカットすることにより、インデックス付きシート（複製物）を容易に作成することができる。
【００１０】
本発明において、記録用紙へのインデックス用の記録は、文字、画像を含む記録とすれば、インデックス部分に文字や画像を印刷できるので、例えば、元のインデックス付きシートを画像読取装置等を用いて読み込めば、複製を容易に作成できる。また、パーソナルコンピュータ等より文字や画像を入力することにより、好みのインデックス付きシートを作成することも可能になる。
【００１１】
本発明において、記録用紙へのインデックス用の記録は、インデックス付きシートの２枚分を同時に記録するようにしてもよい。この場合、２倍のサイズの記録用紙の半分を捨てることなく、もう１枚のインデックス付きシート（複製物）として作成するので、記録用紙を有効に使用できるとともに、インデックス付きシート（複製物）の作成時間の短縮化をはかることができる。
【００１２】
また、インデックス付きシートの２枚分を同時に記録する場合、インデックス部の記録位置が、互いに異なる位置のインデックス付き記録用紙となるようにしてもよい。この場合、インデックス位置が異なる２種類の付きシート（複製物）を単時間で作成することができる。
【００１３】
本発明において、記録用紙へのインデックス用の記録は、前記２倍サイズの記録用紙の中央にインデックス部が位置するような記録であってもよい。このように、２倍のサイズの記録用紙の中央部にインデックス部を形成すると、インデックス部をオーバーラップさせることができ、通常の記録用紙からインデックス部が突き出す形態のインデックス付きシート（複製物）を作成することができる。
【００１４】
本発明において、記録用紙へのインデックス用の記録は、前記カットラインを形成する折れ曲がりラインの折れ曲がり部の角度が９０度以上となるような記録とすることが好ましい。すなわち、カットラインはカッターやはさみ等でカットする案内線であり、折れ曲がり部の角度を９０度以上の大きな角度とすることにより、記録用紙のカットを容易に行うことができる。また、カットラインの折れ曲がり部をアールとすれば、折れ曲がり部への応力集中を避けることができるので、複製物が破れ難くなって耐久性が高くなる。
【発明の効果】
【００１５】
本発明の画像形成装置によれば、インデックス付き記録が指示されたときに、記録すべき用紙サイズの２倍のサイズの記録用紙を用いてインデックス用の記録を行うので、インデックス（タブ）付きの専用の記録用紙を使用することなく、通常の記録用紙を用いてインデックス付きシート（複製物）を容易に作成することができる。
【発明を実施するための最良の形態】
【００１６】
以下、本発明の実施形態を図面に基づいて説明する。
【００１７】
図１は本発明を適用する画像形成装置の全体構成を示す側面図である。
【００１８】
図１の画像形成装置１は、印字モードとして、例えばコピアモード、プリンタモード、ファックスモードの各モードを有するデジタル複合機であり、前面側に操作パネル（ＬＣＤ表示画面Ｄ付：図３参照）１０３が設けられている。
【００１９】
画像形成装置１の上面の透明ガラスからなる原稿台１１上には、自動原稿搬送装置１０が備えられている。自動原稿搬送装置１０は、原稿セットトレイ１２上にセットされた複数枚の原稿を１枚ずつ自動的に原稿台１１上へ給送する装置である。原稿台１１の下方には読取り部２０が配置されている。
【００２０】
読取り部２０は、原稿台１１上に載置された原稿の画像を走査して読み取る機能部であり、第１の走査ユニット２１、第２の走査ユニット２２、光学レンズ２３、及び、光電変換素子であるＣＣＤラインセンサ２４を備えている。
【００２１】
第１の走査ユニット２１は、原稿面上を露光する露光ランプユニット２１ａと、原稿からの反射光像を所定の方向に反射させる第１ミラー２１ｂ等から構成されている。第２の走査ユニット２２は、第１ミラー２１ｂから反射されてくる原稿からの反射光をＣＣＤラインセンサ２４に導く第２ミラー２２ａ及び第３ミラー２２ｂによって構成されている。光学レンズ２３は、原稿からの反射光をＣＣＤラインセンサ２４上に結像させるものである。
【００２２】
また、読取り部２０は、自動原稿搬送装置１０との関連した動作により、自動原稿搬送装置１０にて自動搬送される原稿の画像を、所定の露光位置にて読み取るようになっている。
【００２３】
読取り部２０にて読取られた原稿画像は、画像データとして図示しない画像データ入力部へと送られ、画像データに対して所定の画像処理が施された後、画像処理部１０１（詳細は後述する）のメモリに一旦記憶され、出力指示に応じてメモリ内の画像を読出して画像形成部３０の光書込み装置であるレーザ書込みユニット３１に転送される。
【００２４】
レーザ書込みユニット３１は、画像処理部１０１のメモリから読出した画像データ、または、外部の装置から転送されてきた画像データに応じてレーザ光を出射する半導体レーザ光源、レーザ光を等角速度偏向するポリゴンミラー、等角速度で偏向されたレーザ光が感光体ドラム３２上において等速度で偏向されるように補正するｆ−θレンズなどをから構成されている。なお、この例では、書込み装置としてレーザ書込みユニットを用いているが、ＬＥＤやＥＬ等の発光素子アレイを用いた固体走査型の光書込みヘッドユニットを用いてもよい。
【００２５】
画像形成部３０は感光体ドラム３２を備えており、この感光体ドラム３２の周囲に、感光体ドラム３２を所定の電位に帯電させる帯電器３３、感光体ドラム３２上に形成された静電潜像にトナーを供給して顕像化する現像器３４、感光体ドラム３２表面に形成されたトナー像を記録用紙に転写する転写器（転写チャージャ等）３５、余分なトナーを回収するクリーニング器３６、及び、除電器（除電チャージャ等）３７が配置されている。
【００２６】
画像形成部３０で、画像が転写された記録用紙はその後、定着ユニット６０に送られ画像が記録用紙に定着される。
【００２７】
画像形成部３０の排出側には、上記定着ユニット６０の他に、排紙部７０が配置されている。排紙部７０は、記録用紙の裏面に再度画像を形成するために記録用紙の前後を反転させるスイッチバック路７１、排紙ローラ７２、画像が形成された記録用紙に対してステープル処理等を行うとともに、昇降トレイ７４を有する後処理装置７３を備えている。そして、定着ユニット６０にてトナー像が定着された記録用紙は、必要に応じてスイッチバック路７１を経て排紙ローラ７２にて後処理装置７３へと導かれ、ここで所定の後処理が施された後、排出される。
【００２８】
画像形成部３０の下方に用紙搬送部４０及び給紙部５０が配置されている。用紙搬送部４０は、画像形成装置１の本体に備えられた手差トレイ４１、両面ユニット４２、用紙トレイ４３、給紙部５０の給紙トレイ５１，５２の各トレイから給紙した用紙を、画像形成部３０における転写器３５が配置された転写位置へと搬送する。両面ユニット４２は、記録用紙を反転させるスイッチバック路７１に通じており、記録用紙の両面に画像形成を行う時に用いられる。なお、両面ユニット４２は通常の用紙カセットと交換可能な構成となっており、両面ユニット４２を通常の用紙カセットに置き換えた構成とすることも可能となっている。
【００２９】
図２は画像形成装置１の制御系の構成を示すブロック図である。
【００３０】
制御部１００は、画像形成装置１を統括的に制御するものであり、前記した自動原稿搬送装置１０、読取り部２０、画像形成部３０、用紙搬送部４０、給紙部５０、定着ユニット６０、排紙部７０などを制御する。また、制御部１００には、画像処理部１０１、記憶部１０２、操作パネル１０３、ファクシミリ通信部１０４、及び、データ通信部１０５などが接続されている。なお、制御部１００は、図１に示すように、読取り部２０の下方でレーザ書込みユニット３１の近傍に配置されている。
【００３１】
画像処理部１０１は、読取り部２０のＣＣＤラインセンサ２４から出力された画像データを処理する。この画像処理部１０１による画像データの処理としては、シェーディング補正、濃度補正、領域分離、フィルタ処理、ＭＴＦ補正、解像度変換、電子ズーム（変倍処理）、ガンマ補正などがある。
【００３２】
記憶部１０２は、未処理の画像データや処理済みの画像データを記憶したり、あるいは画像処理のための各種のプログラムやデータテーブル等、画像形成装置１の動作用の各種のプログラムやデータテーブルなどが記憶される。また、記憶部１０２には、後述する自動割付用のインデックス付き記録処理に用いられる、自動割付用のインデックス用の記録情報が記憶されている。
【００３３】
操作パネル１０３は、コピアモード、プリンタモードまたはファックスモードを実行する際の各種情報に加えて、後述するインデックス付き記録の指示、インデックスの作成方法の指定、インデックスサイズ及び位置の指定などのインデックス用の記録情報を制御部１００に入力することができる。
【００３４】
操作パネル１０３には、図３に示すように、数字入力のためのテンキーＫ１、割り込み処理のための割り込みキーＫ２、クリアーキーＫ３、オールクリアキーＫ４、原稿の読取り開始させるためのスタートキーＫ５、ファクシミリ機能、プリンタ機能、コピー機能を切り替えるための機能切換キーＫ６，Ｋ７，Ｋ８などが設けられている。また、操作パネル１０３には、パネル中央に、各種情報を表示するためのＬＣＤ表示画面Ｄが設けられている。
【００３５】
ファクシミリ通信部１０４は、外部端末をネットワークを通じて呼び出して、画像データを外部端末に送信したり、外部端末からの着信をネットワークを通じて受けて、画像データを外部端末から受信したりする。
【００３６】
データ通信部１０５は、画像データを外部端末からＬＡＮ等を通じて送受信する。
【００３７】
次に、この実施例の特徴部分について説明する。
【００３８】
まず、この例では、通常の複写処理に加えて、インデックス用の記録モードの入力（インデックス付き記録の入力・指示）があったときには、インデックス用の記録情報を、記録すべき用紙サイズの２倍のサイズの記録用紙を用いてインデックス用の記録を行うという処理を実行する（インデックス用記録手段による処理）。具体的には、図４に示すように、Ａ３サイズの記録用紙Ｐに、Ａ４用のインデックス部Ｉｎを作成するためのカットラインＣＬ、及び、センターマークＭ１及びパンチ穴マークＭ２などを記録（印字）する。
【００３９】
さらに、この例では、操作パネル１０３から入力されたインデックス用の記録情報に応じて、インデックス部Ｉｎの大きさ（例えば大・中・小）、インデックス部Ｉｎの記録位置（例えば１番目から６番目のいずれかの位置）を設定することができる。
【００４０】
また、画像形成装置１の読取り部２０を使用して読み取ったインデックス用の記録情報に基づいて、記録すべき用紙サイズの２倍のサイズの記録用紙にインデックス用の記録を行うこともできる。
【００４１】
そして、図４に示す形態でインデックス用の記録が行われたインデックス付きシート（複製物）Ｓを、カッターやはさみ等を用いてカットラインＣＬに沿ってカットすることにより、シート縁から突出するインデックス（タブ）を形成することができる。従って、従来のように、元のインデックス付きシート（原稿）と全く同じ形状の専用のインデックス付き記録用紙を用いる必要がなくなる。また、インデックス付き記録用紙カセットなどを用いる必要もなくなる。
【００４２】
ここで、記録用紙へのインデックス用の記録の形態としては、図５に示すように、インデックス付きシート（例えばＡ４）の２枚分を、２倍のサイズの記録用紙Ｐ（例えばＡ３）に同時に記録するようにしてもよい。この場合、２倍のサイズの記録用紙Ｐ（例えばＡ３）の半分を捨てることなく、もう１枚のインデックス付きシート（複製物）として作成するので、記録用紙Ｐを有効に使用できるとともに、インデックス付きシート（複製物）の作成時間の短縮化をはかることができる。この場合、２枚のインデックス用の記録は、一方に対して他方が１８０度回転した画像形成となる。また、記録用紙Ｐの端部にセンターマークＭ１及びパンチ穴マークＭ２を記録する場合、記録用紙Ｐの先端側と後端側にそれぞれのセンターマークＭ１及びパンチ穴マークＭ２が記録されることになる。
【００４３】
さらに、インデックス付原稿の２枚分を同時に記録する場合、図６示すように、２倍サイズの記録用紙Ｐの中央部に２つのインデックス部Ｉｎ、Ｉｎが位置するような記録としてもよい。このように、２倍のサイズの記録用紙Ｐの中央部にインデックス部を形成すると、インデックス部Ｉｎ、Ｉｎをオーバーラップさせることができ、通常の記録用紙からインデックス部が突出する形態のインデックス付きシート（複製物）を作成することができる。
【００４４】
また、インデックス付原稿の２枚分を同時に記録する場合、インデックス部Ｉｎ、Ｉｎをオーバーラップさせるのではなく、図７示すように、２倍のサイズの記録用紙Ｐの中心線Ｌからインデックス部Ｉｎ、Ｉｎが突出する形態、つまり、一方のインデックス部Ｉｎが他方の印字領域に突き出す形態としてもよい。この場合、一方の印字領域に他方のインデックス部Ｉｎによる切欠きができるものの、各定型の用紙サイズの幅寸法（例えばＡ４の場合：２１０ｍｍ）を確保することが可能になる。
【００４５】
また、カットラインＣＬについては、図６〜図８に示すように、インデックス部Ｉｎの折れ曲がり部の角度が９０度以上となるように記録することが好ましい。すなわち、カットラインＣＬはカッターやはさみ等でカットする際の案内線であり、折れ曲がり部の角度を９０度以上の大きな角度とすることにより、記録用紙Ｐのカットを容易に行うことができる。また、図８に示すように、カットラインＣＬの折れ曲がり部をアールとすれば、折れ曲がり部への応力集中を避けることができるので、複製物が破れ難くなって耐久性が高くなる。
【００４６】
なお、以上の構成に加えて、画像形成装置１内にカッターやパンチユニットを装備しておくと、記録用紙を切り離す手作業を行わずに、インデックス付き記録用紙を作成することも可能になる。
【００４７】
次に、画像形成装置１において実行する印字処理の内容を図９のフローチャートを参照しながら説明する。
【００４８】
まず、画像形成装置１の操作パネル１０３の操作により印字要求がなされると（ステップＳ１）、この印字要求が制御部１００に通知される。制御部１００は、この印字要求に応答して、操作パネル１０３から「インデックス用の記録モード」が指定されているか否かを判定し（ステップＳ２）、「インデックス用の記録モード」が指定されていない場合（ステップＳ２で「Ｎｏ」）、先に述べた手順で原稿の画像を読み取って、この画像を定型の記録用紙に記録するという通常の複写処理を行い（ステップＳ３）、次の原稿があれば（ステップＳ４で「Ｙｅｓ」）、ステップＳ３を繰り返し、また、次の原稿がなければ（ステップＳ４で「Ｎｏ」）、待機状態となる。
【００４９】
一方、「インデックス用の記録モード」が指定された場合（ステップＳ２で「Ｙｅｓ」）、その「インデック用の記録モード」において選択された記録処理が、画像形成装置１の読取り部２０を使用する処理、または、操作パネル１０３からインデックス用の記録情報を入力する処理のいずれの処理であるのかを判定し（ステップＳ５，ステップＳ７）、読取り部２０を使用する処理が選択されている場合（ステップＳ５で「Ｙｅｓ」）、原稿台１１に載置されたインデックス付きシート（原稿）を読取り部２０にて読み取り（ステップＳ６）、インデックス用の記録情報を採取してステップＳ１５に進む。
【００５０】
一方、操作パネル１０３からの入力処理が選択されている場合（ステップＳ７で「Ｙｅｓ」）、図１０（ａ）に示すインデックス作成方法の選択画面を操作パネル１０３のＬＣＤ表示画面Ｄに表示する。このインデックス作成方法の選択画面を見て、ユーザが操作パネル１０３を操作して、「自動割付」を選択した場合（ステップＳ９で「Ｙｅｓ」）、記憶部１０２に記憶されている自動割付用のインデックス用の記録情報を読み出して（ステップＳ１０）、ステップＳ１５に進む。
【００５１】
また、図１０（ａ）に示す表示画面において「自動割付」が選択されていない場合（ステップＳ９で「Ｎｏ」）、図１０（ｂ）に示すインデックスサイズ指定画面を表示する（ステップＳ１１）。このインデックスサイズ指定画面を見て、ユーザが操作パネル１０３を操作してサイズ（例えば「中」）を指定した後（ステップＳ１２で「Ｙｅｓ」）、図１０（ｃ）に示すインデックス位置指定画面を表示する（ステップＳ１３）。そして、ユーザによる操作パネル１０３の操作により、インデックス位置として、例えば、一番目インデックスに対応する「１」が入力された時点（ステップＳ１４で「Ｙｅｓ」）で情報を採取を完了し、これら入力情報（インデックスサイズ・位置情報）をインデックス用の記録情報として採用してステップ１５に進む。このとき、操作パネル１０３の操作により、センターマークＭ１やパンチ穴マークＭ２を印字する旨の指示があったときには、記憶部１０２からそれらの情報を読み出して、インデックス用の記録情報に追加する。
【００５２】
ステップＳ１５では、以上のいずれかの処理にて取り込んだインデックス用の記録情報に基づいて、記録すべき用紙サイズの２倍のサイズの記録用紙を用いてインデックス用の記録（印字）を行う。この印字処理により、例えば図４に示すように、Ａ３サイズの記録用紙Ｐに、インデックス部Ｉｎを作成するためのカットラインＣＬ、及び、センターマークＭ１及びパンチ穴マークＭ２などが印字されたインデックス付きシート（複製物）を得ることができる。
【００５３】
このとき、インデックス付きシート（原稿）の２倍分の複製を同時に行う場合、例えば以下に示す処理を行えばよい。
【００５４】
（１）読取り部２０にて、２枚のインデックス付きシート（原稿：Ａ４）を同時に読み取って２枚分のインデックス用の記録情報を採取し、Ａ３の記録用紙に２枚分のインデックス用の記録情報を同時に記録するようにすればよい（例えば図５参照）。
【００５５】
（２）記憶部１０２から読み出した自動割付用のインデックス用の記録情報（例えばＡ４用）に基づいて、インデックス用の記録位置が互いに異なる２つのインデックス用の記録情報を作成して、その２つの記録情報を記録用紙（例えばＡ３）に同時に記録するようにしてもよい。
【００５６】
（３）上記したステップＳ１１〜ステップＳ１４の処理にて採取されたインデックス用の記録情報（例えばＡ４用）に基づいて、インデックス用の記録位置が互いに異なる２つのインデックス用の記録情報を作成して、その２つの記録情報を記録用紙（例えばＡ３）に同時に記録するようにしてもよい。この場合、ステップＳ１１〜ステップＳ１４において、インデックス部のサイズ・位置について原稿２枚分の情報を入力指定できるようにしておけば、例えば、図５において、左側のインデックス用記録のインデックス部Ｉｎのサイズが「大」で位置が「１番目」、右側のインデックス用記録のインデックス部Ｉｎのサイズが「中」で位置が「２番目」というような記録を行うことが可能になる。
【００５７】
そして、以上のインデックス用の記録が完了した後、次のインデックス用の記録があれば（ステップＳ１６で「Ｙｅｓ」）、ステップＳ５〜ステップＳ１５を実行し、次のインデックス用の記録がなければ（ステップＳ１６で「Ｎｏ」）、待機状態となる。
【００５８】
以上のように、本実施例によれば、インデックス（タブ）付きの専用の記録用紙を使用することなく、通常の記録用紙を用いて、インデックス付きシート（複製物）を容易に作成することができる。例えば記録すべき用紙サイズがＡ４である場合、その２倍のサイズのＡ３の記録用紙を用いてインデックス付きシート（複製物）を作成することができる。
【産業上の利用可能性】
【００５９】
本発明は、原稿に記録された画像を読取り、記録用紙に対して画像の形成を行う画像形成装置において、インデックス（タブ）付きシートの複製を通常の記録用紙を用いて作成するに有効に利用することができる。
【図面の簡単な説明】
【００６０】
【図１】本発明を適用する画像形成装置の全体構成を示す側面図である。
【図２】図１の画像形成装置の制御系の構成を示すブロック図である。
【図３】図１の画像形成装置に用いる操作パネルの正面図である。
【図４】インデックス用の記録が行われた記録用紙の一例を示す図である。
【図５】インデックス用の記録が行われた記録用紙の他の例を示す図である。
【図６】インデックス用の記録が行われた記録用紙の別の例を示す図である。
【図７】インデックス用の記録が行われた記録用紙の別の例を示す図である。
【図８】インデックス用の記録が行われた記録用紙の別の例を示す図である。
【図９】図１の画像形成装置において実行する印字処理の内容を示すフローチャートである。
【図１０】操作パネルのＬＣＤ表示画面Ｄの表示例を示す図である。
【符号の説明】
【００６１】
１  画像形成装置
１０  自動原稿搬送装置
１１  原稿台
２０  読取り部
３０  画像形成部
４０  用紙搬送部
５０  給紙部
６０  定着ユニット
７０  排紙部７０
１００  制御部
１０１  画像処理部
１０２  記憶部１０２
１０３  操作パネル１０３
１０４  ファクシミリ通信部
１０５  データ通信部１０５
【図１】
2006086625.tif 000003
【図２】
2006086625.tif 000004
【図３】
2006086625.tif 000005
【図４】
2006086625.tif 000006
【図５】
2006086625.tif 000007
【図６】
2006086625.tif 000008
【図７】
2006086625.tif 000009
【図８】
2006086625.tif 000010
【図９】
2006086625.tif 000011
【図１０】
2006086625.tif 000012